【手続補正書】
【提出日】平成19年4月2日(2007.4.2)
【手続補正１】
【補正対象書類名】明細書
【補正対象項目名】特許請求の範囲
【補正方法】変更
【補正の内容】
【特許請求の範囲】
【請求項１】
画像形成素子からの光を、焦点調節が可能な投射光学系により被投射面に投射して画像を表示する投射型表示装置であって、
前記被投射面からの光を受光する受光検出手段と、
この受光検出手段からの出力信号に基づいて前記投射光学系の焦点調節制御を行う自動焦点制御手段とを有し、
前記投射光学系の光軸が、前記画像形成素子に形成された原画像の中心から投射画像の中心に至る基準軸に対してシフトしており、
前記受光検出手段は、前記被投射面上における前記投射光学系の光軸の位置を含む該光軸位置に近接した検出範囲からの光を受光することを特徴とする投射型表示装置。
【請求項２】
前記検出範囲は、前記被投射面上における前記投射光学系の光軸の位置を中心として設定されることを特徴とする請求項１に記載の投射型表示装置。
【請求項３】
前記検出範囲は、前記被投射面上における投射画像の中心から外れた範囲であることを特徴とする請求項１又は２に記載の投射型表示装置。
【請求項４】
画像形成素子からの光を、焦点調節が可能な投射光学系により被投射面に投射して画像を表示する投射型表示装置であって、
前記被投射面からの光を受光する受光検出手段と、
この受光検出手段からの出力信号に基づいて前記投射光学系の焦点調節制御を行う自動焦点制御手段とを有し、
前記受光検出手段は、前記被投射面上における画像投射領域と画像外領域との境界を含む検出範囲からの光を受光することを特徴とする投射型表示装置。
【請求項５】
前記投射光学系は投射画角の変更が可能であり、
前記受光検出手段の検出範囲が、前記投射画角の変更範囲全域で前記境界を含むように設定されていることを特徴とする請求項４に記載の投射型表示装置。
【請求項６】
前記投射光学系の光軸が、前記画像形成素子に形成された原画像の中心から投射画像の中心に至る基準軸に対してシフトしていることを特徴とする請求項４又は５に記載の投射型表示装置。
【請求項７】
画像形成素子からの光を、焦点調節が可能な投射光学系により被投射面に投射して画像を表示する投射型表示装置であって、
前記被投射面からの光を受光する受光検出手段と、
この受光検出手段からの出力信号に基づいて前記投射光学系の焦点調節制御を行う自動焦点制御手段とを有し、
前記受光検出手段は、基線長方向に離間して配置された一対のラインセンサにより構成され、前記一対のラインセンサの基線長方向が、前記被投射面上における前記受光検出手段の検出範囲に含まれる、投射画像の外周辺に対して略直交するように設けられていることを特徴とする投射型表示装置。
【請求項８】
前記投射光学系の光軸が、前記画像形成素子に形成された原画像の中心から投射画像の中心に至る基準軸に対してシフトしていることを特徴とする請求項７に記載の投射型表示装置。
【請求項９】
画像形成素子からの光を、焦点調節が可能な投射光学系により被投射面に投射して画像を表示する投射型表示装置であって、
前記被投射面からの光を受光する受光検出手段と、
この受光検出手段からの出力信号に基づいて前記投射光学系の焦点調節制御を行う自動焦点制御手段とを有し、
前記受光検出手段は、基線長方向に離間して配置された一対のラインセンサにより構成され、
前記投射光学系の光軸が、前記画像形成素子に形成された原画像の中心から投射画像の中心に至る基準軸に対してシフトしており、
前記受光検出手段は、前記一対のラインセンサの基線長方向が、前記被投射面上における前記受光検出手段の検出範囲に含まれる、投射画像の外周辺のうち前記投射光学系の光軸に最も近い辺に対して略直交するように設けられていることを特徴とする投射型表示装置。
【請求項１０】
前記自動焦点制御手段による前記投射光学系の焦点調節制御時に、全面白色、全面灰色又はこれらに相当する画像を投射することを特徴とする請求項４から９のいずれか１つに記載の投射型表示装置。
【請求項１１】
前記全面白色、全面灰色又はこれらに相当する画像は、キャラクタジェネレータのハードウェア機能を用いて作成されることを特徴とする請求項１０に記載の投射型表示装置。
【請求項１２】
画像形成素子と、
前記画像形成素子上に形成された画像を被投射面に対して斜めに投射する投射光学系と、
前記被投射面からの光を受光する受光センサとを有し、
前記投射光学系の光軸は、前記画像の投射方向に対して傾いており、
前記受光センサは、前記投射光学系の光軸に略平行な方向において前記被投射面からの光を受光することを特徴とする投射型表示装置。
【請求項１３】
前記受光センサからの出力に基づいて、前記被投射面との距離を求める手段を有することを特徴とする請求項１２に記載の投射型表示装置。
【請求項１４】
前記受光センサからの出力に基づいて、前記投射光学系の焦点調節を行う制御手段を有することを特徴とする請求項１２又は１３に記載の投射型表示装置。
【請求項１５】
温度を測定する温度センサを有し、
前記制御手段は、前記温度センサの測定結果に基づいて、前記投射光学系の焦点調節を行うことを特徴とする請求項１４に記載の投射型表示装置。
【請求項１６】
画像形成素子と、
前記画像形成素子上に形成された画像を被投射面に対して斜めに投射する投射光学系と、
前記被投射面からの光を受光する受光センサとを有し、
前記投射光学系の光軸は前記画像の投射方向に対して傾いており、
前記受光センサの受光方向と前記投射光学系の前記光軸とのなす角は、前記受光センサの受光方向と前記画像の投射方向とのなす角よりも小さいことを特徴とする投射型表示装置。
【請求項１７】
請求項１から１６のいずれか１つに記載の投射型表示装置と、
前記投射型表示装置に画像信号を供給する画像信号供給装置とを有することを特徴とする画像表示システム。
【手続補正２】
【補正対象書類名】明細書
【補正対象項目名】０００９
【補正方法】変更
【補正の内容】
【０００９】
すなわち、光軸が画像形成素子に形成された原画像の中心から投射画像の中心に至る基準軸に対してシフトしているいわゆるシフト投射光学系を有する投射型表示装置において、被投射面上の投射画像のうち最も輝度が高くなり易い、被投射面上における投射光学系の光軸位置を含む該光軸位置に近接した範囲（多くの場合、投射画像の中心から外れた位置）からの反射光を用いてパッシブ方式での焦点調節状態の検出を行うことにより、受光検出部（ＡＦセンサ部）に可動部分を設けることなく、かつ簡単な構成で、投射光学系の良好な自動焦点調節を行うことを可能としている。
【手続補正３】
【補正対象書類名】明細書
【補正対象項目名】００１２
【補正方法】変更
【補正の内容】
【００１２】
なお、本発明において、投射光学系が投射画角の変更（ズーム）が可能である場合には、受光検出手段の検出範囲を投射画角の変更範囲全域で上記境界を含むように設定するとよい。これにより、ズームによる画面の大きさの変動の影響を受けることなく、全ズーム状態で良好な焦点調節状態の検出および自動焦点調節が可能となる。
【手続補正４】
【補正対象書類名】明細書
【補正対象項目名】００１３
【補正方法】変更
【補正の内容】
【００１３】
また、受光検出手段を、基線長方向に離間して配置された一対のラインセンサにより構成されている場合、この受光検出手段を、一対のラインセンサの基線長方向が上記検出範囲に含まれる、投射画像の外周辺（１辺）に対して略直交するように設けるとよい。すなわち、ラインセンサの画素が並ぶ基線長方向と上記境界とを略直交させることにより、上記境界を検出範囲に入れ易く、組立調整もし易くなる。
【手続補正５】
【補正対象書類名】明細書
【補正対象項目名】００１５
【補正方法】変更
【補正の内容】
【００１５】
さらに、自動焦点制御手段による投射光学系の焦点調節制御時において、全面白色、全面灰色又はこれらに相当する画像を投射する場合、上記画像をキャラクタジェネレータのハードウェア機能を用いて投射することができる。